(57)【要約】【課題】本発明は、小型のカフから脈波を効率的に検出する血圧計の提供を目的とする。【解決手段】本発明に係る血圧計は、２個のカフで耳珠等の外耳の一部を挟持して被検体の血圧値を測定する血圧計であって、圧脈波を検出するカフに通じる流路に流体抵抗の高い抵抗素子を挿入して、圧脈波を検出するカフから圧脈波による空気圧の変動が逃げないようにする。具体的には、被検体の一部を挟持して押圧する第１のカフ及び第２のカフと、第１のカフ及び第２のカフとを接続するカフ側流路と、空気ポンプと、カフ側流路と空気ポンプとを接続するポンプ側流路と、圧力計と、圧脈波検出器と、カフ側抵抗素子と、ポンプ側抵抗素子と、を備え、圧力計が、カフ側抵抗素子、ポンプ側抵抗素子及び第１のカフで挟まれた流路に接続されていることを特徴とする。【選択図】図１
2006325878.tif 000002
【特許請求の範囲】
【請求項１】
被検体の一部を挟持して押圧する第１のカフ及び第２のカフと、
前記第１のカフと前記第２のカフとを接続するカフ側流路と、
前記第１のカフ及び前記第２のカフの圧力を可変する空気ポンプと、
前記カフ側流路の途中と前記空気ポンプとを接続するポンプ側流路と、
前記第１のカフの圧力を検出する圧力計と、
前記圧力計の検出した圧力の高周波数成分を圧脈波として検出する圧脈波検出器と、
前記ポンプ側流路と前記第２のカフとの間の前記カフ側流路の一部の流体抵抗を前記カフ側流路よりも高くするカフ側抵抗素子と、
前記ポンプ側流路の一部の流体抵抗を前記ポンプ側流路よりも高くするポンプ側抵抗素子と、を備え、
前記圧力計が、前記カフ側抵抗素子、前記ポンプ側抵抗素子及び前記第１のカフで挟まれた流路に接続されていることを特徴とする血圧計。
【請求項２】
前記第１のカフの前記被検体の一部を押圧する面積が、前記第２のカフよりも広いことを特徴とする請求項１に記載の血圧計。
【請求項３】
前記圧力計が、前記カフ側抵抗素子及び前記第１のカフで挟まれたカフ側流路に接続されていることを特徴とする請求項１又は２に記載の血圧計。
【請求項４】
前記圧力計が、前記カフ側流路及び前記ポンプ側抵抗素子で挟まれたポンプ側流路に接続されていることを特徴とする請求項１又は２に記載の血圧計。
【請求項５】
前記カフ側抵抗素子が、前記カフ側流路の内径よりも小さな内径の細管であることを特徴とする請求項１から４に記載のいずれかの血圧計。
【請求項６】
前記細管の内径が、前記カフ側流路の内径の１／２以下であることを特徴とする請求項５に記載の血圧計。
【請求項７】
前記ポンプ側抵抗素子が、前記ポンプ側流路の内径よりも小さな内径の細管であることを特徴とする１から６に記載のいずれかの血圧計。
【請求項８】
前記細管の内径が、前記ポンプ側流路の内径の１／２以下であることを特徴とする請求項７に記載の血圧計。
【請求項９】
前記第１のカフの前記被検体の一部を押圧する面の最大径が、１ｍｍ以上２０ｍｍ以下であることを特徴とする請求項１から８に記載のいずれかの血圧計。
【請求項１０】
前記圧力計の検出した圧力から高周波数成分を除去した圧力を検出するカフ圧検出器をさらに備えることを特徴とする請求項１から９に記載のいずれかの血圧計。
【発明の詳細な説明】
【技術分野】
【０００１】
本発明は、継続して血圧を測定する血圧計に関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧値を始めとして、脈拍、脈波、心電、体温又は動脈血酸素飽和度等の生体情報を継続的に測定する測定装置が開発されている（例えば、特許文献１参照。）。
【０００３】
生体情報を継続的に測定する測定装置として、外耳道に常時装着する患者モニタ装置がある（例えば、特許文献２参照。）。この装置は、被検体内へ放射した赤外光、可視光の散乱光の受光量から血圧値などを算出するものである。しかし、この患者モニタ装置では、血圧計の具体的な構成は示されていない。
【０００４】
ここで、耳介の名称は非特許文献１、２、３による。
【特許文献１】特開２０００−７９１０１号公報
【特許文献２】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００５】
外耳道を含む外耳は、常時装着していても指先や腕と比較して被検体への負担が少ないが、外耳の脈波は微弱である。一方、外耳に装着するためにはカフの大きさは必然的に小さくなるので、カフから脈波を直接検出するのは困難である。
【０００６】
本発明は、小型のカフから脈波を効率的に検出することを可能にする血圧計の提供を目的とする。
【課題を解決するための手段】
【０００７】
上記目的を達成するために、本発明に係る血圧計は、２個のカフで耳珠等の外耳の一部を挟持して被検体の血圧値を測定する血圧計であって、圧脈波を検出するカフに通じる流路に流体抵抗の高い抵抗素子を挿入して、圧脈波を検出する流路から圧脈波による空気圧の変動が逃げないようにする。
【０００８】
具体的には、本発明に係る血圧計は、被検体の一部を挟持して押圧する第１のカフ及び第２のカフと、前記第１のカフと前記第２のカフとを接続するカフ側流路と、前記第１のカフ及び前記第２のカフの圧力を可変する空気ポンプと、前記カフ側流路の途中と前記空気ポンプとを接続するポンプ側流路と、前記第１のカフの圧力を検出する圧力計と、前記圧力計の検出した圧力の高周波数成分を圧脈波として検出する圧脈波検出器と、前記ポンプ側流路と前記第２のカフとの間の前記カフ側流路の一部の流体抵抗を前記カフ側流路よりも高くするカフ側抵抗素子と、前記ポンプ側流路の一部の流体抵抗を前記ポンプ側流路よりも高くするポンプ側抵抗素子と、を備え、前記圧力計が、前記カフ側抵抗素子、前記ポンプ側抵抗素子及び前記第１のカフで挟まれた流路に接続されていることを特徴とする。
【０００９】
第１のカフ及び第２のカフが耳珠等の外耳の一部を挟持して圧迫し、前記カフ側抵抗素子、前記ポンプ側抵抗素子及び第１のカフで挟まれた流路から圧脈波を検出するので、第１のカフで生じた圧脈波による空気圧の変動が空気ポンプ及び第２のカフに逃げることなく、圧力計で効率的に圧脈波を検出することができる。圧脈波による圧力変動をΔＰ、圧脈波によるカフの体積変化をΔＶ、圧脈波を伝達するカフの体積をＶ、流路等の体積をＶ’とすると、
ΔＰ≒ΔＶ／（Ｖ＋Ｖ’）  ・・・（１）
で表される。（１）式において、抵抗素子で流路の等の体積Ｖ’を小さくすることによって、圧力変動ΔＰを大きくすることができるからである。また、ポンプ側流路及びカフ側流路に流体抵抗の高い素子を備え、高周波数の圧力変動を遮断するので、外耳の微弱な圧脈波を圧力計の検出する第１のカフの圧力から検出することができる。したがって、小型のカフから脈波を効率的に検出することを可能にする血圧計を提供することができる。
【００１０】
前記第１のカフの前記被検体の一部を押圧する面積が、前記第２のカフよりも広いことが好ましい。
【００１１】
押圧する面積が大きいので、被検体の脈動で生じる第１のカフの体積変化を大きくできる。つまり、圧脈波を検出する第１のカフの押圧面の面積を広くして、（１）式において、第１のカフの体積変動ΔＶと第１のカフの体積Ｖの割合を大きくすることによって、圧力変動ΔＰを大きくすることができる。これにより、圧脈波を効率的に検出することができる。
【００１２】
前記圧力計が、前記カフ側抵抗素子及び前記第１のカフで挟まれたカフ側流路に接続されていることが好ましい。
【００１３】
圧力計がカフ側流路から第１のカフの圧力を検出するので、ポンプ側抵抗素子をカフ側流路に近い位置に配置し、カフ側抵抗素子、ポンプ側抵抗素子及び第１のカフで挟まれた流路の体積を小さくすることができる。つまり、（１）式において、圧脈波を伝達するカフの体積Ｖを小さくし、圧力変動ΔＰを大きくすることができる。これにより、圧脈波を効率よく検出することができる。
【００１４】
前記圧力計が、前記カフ側流路及び前記ポンプ側抵抗素子で挟まれたポンプ側流路に接続されていることが好ましい。
【００１５】
圧力計をカフから離すことができるので、外耳への装着の負担を軽減することができる。
【００１６】
前記カフ側抵抗素子が、前記カフ側流路の内径よりも小さな内径の細管であることが好ましい。
【００１７】
カフ側抵抗素子を細管とすることで、簡単な構成で流体抵抗の高い抵抗素子とすることができる。
【００１８】
前記細管の内径が、前記カフ側流路の内径の１／２以下であることが好ましい。
【００１９】
細管の内径がカフ側流路の内径の１／２以下であれば、細管の流体抵抗とカフ側流路の流体抵抗との間に有意な差をつけることができる。これにより、圧脈波を効率よく検出することができる。
【００２０】
前記ポンプ側抵抗素子が、前記ポンプ側流路の内径よりも小さな内径の細管であることが好ましい。
【００２１】
ポンプ側抵抗素子を細管とすることで、簡単な構成で流体抵抗の高い抵抗素子とすることができる。
【００２２】
前記細管の内径が、前記ポンプ側流路の内径の１／２以下であることが好ましい。
【００２３】
細管の内径がポンプ側流路の内径の１／２以下であれば、細管の流体抵抗とポンプ側流路の流体抵抗との間に有意な差をつけることができる。これにより、圧脈波を効率よく検出することができる。
【００２４】
前記第１のカフの前記被検体の一部を押圧する面の最大径が、１ｍｍ以上２０ｍｍ以下であることが好ましい。
【００２５】
第１のカフの押圧面の最大径が１ｍｍ以上２０ｍｍ以下であるので、第１のカフは外耳の一部を挟持して押圧することができる。
【００２６】
前記圧力計の検出した圧力から高周波数成分を除去した圧力を検出するカフ圧検出器をさらに備えることが好ましい。
【００２７】
第１のカフの圧力の高周波数成分を除去すれば、第１のカフが被検体の一部を押圧する圧力を検出することができる。
【発明の効果】
【００２８】
本発明によれば、小型のカフから脈波を効率的に検出することを可能にする血圧計を提供することができる。
【発明を実施するための最良の形態】
【００２９】
添付の図面を参照して本発明の実施の形態を説明する。以下に説明する実施の形態は本発明の構成の例であり、本発明は、以下の実施の形態に制限されるものではない。
【００３０】
図１は、実施形態１に係る血圧計の模式図である。実施形態１に係る血圧計９１は、被検体の一部を挟持して押圧する第１のカフ１１ａ及び第２のカフ１１ｂと、第１のカフ１１ａと第２のカフ１１ｂとを接続するカフ側流路１２と、第１のカフ１１ａ及び第２のカフ１１ｂの圧力を可変する空気ポンプ１３と、カフ側流路１２の途中３１と空気ポンプ１３とを接続するポンプ側流路１４と、第１のカフ１１ａの圧力を検出する圧力計１５と、圧力計１５の検出した圧力の高周波数成分を圧脈波として検出する圧脈波検出器１６と、ポンプ側流路１４と第２のカフ１１ｂとの間のカフ側流路１２の一部の流体抵抗をカフ側流路１２よりも高くするカフ側抵抗素子１８と、ポンプ側流路１４の一部の流体抵抗をポンプ側流路１４よりも高くするポンプ側抵抗素子１９と、を備え、圧力計１５が、カフ側抵抗素子１８、ポンプ側抵抗素子１９及び第１のカフ１１ａの流路に接続されていることを特徴とする。図１では、カフ側抵抗素子１８がカフ側流路１２ａとカフ側流路１２ｂとの間に配置されており、ポンプ側抵抗素子１９がポンプ側流路１４ａ及びポンプ側流路１４ｂの間に配置されている。また、カフ側抵抗素子１８、ポンプ側抵抗素子１９及び第１のカフ１１ａで挟まれた流路が斜線で示されている。また、第１のカフ１１ａの被検体の一部を押圧する面となる押圧面３２ａと、第２のカフ１１ｂの被検体の一部を押圧する面となる押圧面３２ｂとが示されている。
【００３１】
さらに、血圧計９１は、圧力計１５の検出した圧力から高周波数成分を除去した圧力を検出するカフ圧検出器１７と、被検体の一部を挟持するアーム２１ａ及びアーム２１ｂと、アーム２１ａ及びアーム２１ｂを接続するアーム接続部２２と、第１のカフ１１ａのアーム２１ａからの距離を可変するカフ位置調節機構２３と、圧力計１５及びポンプ側流路１４を接続する流路２５と、ポンプ側流路１４の圧力変動を吸収する小袋２０とを含む。
【００３２】
第１のカフ１１ａ及び第２のカフ１１ｂは、被検体の一部を挟持して押圧するものである。例えば、空気圧で膨張又は収縮する袋体である。袋体が膨張したときに被検体の一部を挟持し、押圧する。袋体は、被検体を押圧する方向に膨張するものでもよいし、被検体を押圧する方向と垂直な方向にも膨張するものでもよい。また、袋体は、挟持している被検体の一部の脈動を停止させる程度の圧力に耐えるものが好ましい。また、袋体の形状は限定しない。例えば、球形、楕円球、円柱、楕円柱とすることができる。
【００３３】
カフの押圧面３２ａの面積は、カフの押圧面３２ｂよりも広いことが好ましい。カフの押圧面３２ａの面積が大きければ、被検体の脈動で生じる第１のカフ１１ａの体積変化を大きくできる。斜線で示した流路の体積に対し、被検体の脈動で生じる第１のカフ１１ａの体積変化の割合が大きくなれば、（１）式の効果から圧脈波を効率的に検出することが可能になる。
【００３４】
また、カフの押圧面３２ａ、３２ｂの最大径は、１ｍｍ以上２０ｍｍ以下であることが好ましい。カフの押圧面の最大径が１ｍｍ以上２０ｍｍ以下であれば、第１のカフ１１ａ及び第２のカフ１１ｂで耳珠等の外耳の一部を挟持して押圧することができる。  
【００３５】
カフ側流路１２は、第１のカフ１１ａ及び第２のカフ１１ｂを接続するものである。例えば、第１のカフ１１ａ内と第２のカフ１１ｂ内とを接続する空気チューブを用いることができる。空気チューブの素材としては、例えば、樹脂、ゴム、布又は金属を用いることができる。樹脂としては、例えば、ポリエチレン、ポリプロピレン、ポリ塩化ビニル、ポリ酢酸ビニル又はこれらの共重合体がある。ゴムは、例えば、天然ゴム、スチレンゴム、ブチルゴム、ニトリルゴム、クロロブチレンゴム、ナオブチレンゴム、エチレン・プロピレンゴム、ハイパロン、アクリルゴム、ウレタンゴム、シリコーンゴム又はフッ素ゴムがある。布又は紙は、気密性のあるものが好ましく、例えば、ポリマーの塗装されている不織布がある。さらに、伸縮部材の材料は、シリコーン樹脂等の光を通すものであってもよい。また、空気チューブの素材は、シリコーン樹脂、天然ゴム、ブチルゴム等の弾性を有するものが好ましい。空気チューブの形状は、限定するものではなく、例えば、断面形状は円形でもよいし、方形でもよい。空気チューブは、樹脂またはゴム等の柔軟な素材からなるものが好ましく、柔軟であれば被検体への装着が容易になる。カフ側流路１２は、複数の空気チューブで構成されていてもよい。例えば、カフ側流路１２の一部に、アーム２１ａ、２１ｂ内に形成された流路が含まれていてもよい。なお、カフ側流路１２ａ及びカフ側流路１２ｂは、同じ材質及び形状のものでもよいが、異なる材質、異なる形状のものを用いてもよい。
【００３６】
空気ポンプ１３は、第１のカフ１１ａ及び第２のカフ１１ｂの圧力を可変するものである。すなわち、空気ポンプ１３は、第１のカフ１１ａ及び第２のカフ１１ｂが被検体の一部を押圧する圧力である押圧圧力値を可変するものである。空気ポンプ１３は、例えば、外部から吸気して第１のカフ１１ａ及び第２のカフ１１ｂ内へ空気を供給し、第１のカフ１１ａ及び第２のカフ１１ｂの圧力を増加させ、第１のカフ１１ａ及び第２のカフ１１ｂ内の空気を外部へ排気して第１のカフ１１ａ及び第２のカフ１１ｂの圧力を減少させるものである。空気ポンプ１３は、一気に所定圧力まで第１のカフ１１ａ及び第２のカフ１１ｂの圧力を増加させ、一定速度で圧力を減少させるものが好ましい。また、一定速度で所定圧力まで第１のカフ１１ａ及び第２のカフ１１ｂの圧力を増加させるものでもよい。所定圧力は、動脈の血流が停止する程の圧力であり、例えば、被検体の最高血圧値よりも３０ｍｍＨｇ程高い圧力である。さらに、空気ポンプ１３は、所定時間ごとにカフの圧力の増加を開始することが好ましい。所定時間は、予め設定されている時間であり、所定時刻としてもよい。所定時間は、被検体に応じて可変であることが好ましい。また、外部から入力された信号に応じて第１のカフ１１ａ及び第２のカフ１１ｂの圧力の増加を開始してもよい。
【００３７】
ポンプ側流路１４は、カフ側流路１２の途中３１と空気ポンプ１３とを接続するものである。例えば、空気ポンプ１３とカフ側流路１２内とを接続する空気チューブである。空気チューブとしては、前述のカフ側流路１２で説明したものを用いることができる。空気チューブの長さは限定するものではなく、例えば、被検体に装着した空気ポンプ１３から外耳に装着されているカフ側流路１２を接続することのできる長さである。空気ポンプ１３の装着部位は、例えば、外耳、首、肩、胸、腰、腕、足である。ポンプ側流路１４は、使用環境に応じて長さを設定することが好ましい。なお、ポンプ側流路１４ａ及びポンプ側流路１４ｂは、同じ材質及び形状のものでもよいが、異なる材質、異なる形状のものを用いてもよい。
【００３８】
小袋２０は、ポンプ側流路１４の圧力変動を吸収するものである。小袋２０は、例えば、ポンプ側流路１４より内径の大きな容器を用いることができる。容器の素材は、例えば、前述のカフ側流路１２で説明した空気チューブと同様のものを用いることができる。小袋２０は、ポンプ側流路１４の一部が変形したものであってもよい。ポンプ側流路１４の一部に小袋２０を設けることで、空気ポンプ１３からの空気の圧力変動を吸収できるので、ポンプ側抵抗素子１９内を振動の少ない圧力で空気を通過させることができる。これにより、斜線で示された流路の圧力変動を低減することができる。
【００３９】
圧力計１５は、第１のカフ１１ａの圧力を検出するものである。例えば、流路内の空気圧を検出するものである。さらに、圧力計１５の検出した圧力から圧脈波を検出するので、圧脈波と同等の周波数及び振幅の圧力変動を検出できるものである。
【００４０】
圧脈波検出器１６は、圧力計１５の検出した圧力の高周波数成分を圧脈波として検出するものである。例えば、圧力計１５の検出した圧力の信号の高周波数成分を抽出し、抽出した高周波数成分の振動振幅を検出することのできるものである。圧力の信号から抽出する高周波数成分の周波数は、被検体の脈動の周波数と同程度の周波数であることが好ましい。
【００４１】
カフ圧検出器１７は、圧力計１５の検出した圧力から高周波数成分を除去した圧力を検出するものである。例えば、圧力計１５の検出した圧力の信号を、圧脈波の周波数よりも低い周波数を通過させる低域透過フィルタを用いて高周波数成分を除去し、高周波数成分を除去した後の圧力の信号の出力値を検出するものである。高周波数成分を除去した圧力が、圧脈波を検出したときの第１のカフ１１ａの圧力、すなわち第１のカフ１１ａが被検体の一部を押圧する圧力である押圧圧力値を検出することができる。
【００４２】
カフ側抵抗素子１８は、ポンプ側流路１４と第２のカフ１１ｂとの間のカフ側流路１２の一部の流体抵抗をカフ側流路１２よりも高くするものである。すなわち、カフ側流路１２の一部に流体抵抗を発生させるものである。流体抵抗を発生させるものとしては、例えば、細管、ジグザグに折り曲げた細管、振動を吸収する空気室、流体抵抗を発生させる空気弁等の部品がある。流体抵抗の高い部分が高周波数の圧力変動を吸収する低域透過フィルタとなり、圧脈波を検出する流路から圧脈波による圧力変動が逃げないようにすることができる。また、第２のカフ１１ｂで生じた圧脈波が図１の斜線で示された流路へ伝達することを防ぐことができる。これにより、圧力計１５が第２のカフ１１ｂで生じた圧脈波を検出しないので、圧脈波検出器１６は、圧力計１５の検出した第１のカフ１１ａの圧力の高周波数成分から第１のカフ１１ａで生じた圧脈波を効率よく検出することができる。
【００４３】
カフ側抵抗素子１８は、カフ側流路１２の内径よりも小さな内径の細管であることが好ましい。細管は、例えば、前述のカフ側流路１２で説明した空気チューブを用いることができる。細管の形状は限定するものではなく、例えば、内径０．０５ｍｍ以上０．５ｍｍ以下のものを用いることができる。カフ側抵抗素子１８を細管とすることで、簡単な構成で流体抵抗の高い抵抗素子とすることができる。さらに、細管の内径は、カフ側流路１２の内径の１／２以下であることが好ましい。細管の内径がカフ側流路１２の内径の１／２以下であれば、細管の流体抵抗とカフ側流路１２の流体抵抗との間に有意な差をつけることができる。これにより、圧脈波検出器１６は圧脈波を効率よく検出することができる。なお、細管はカフ側流路１２の内径の１／１０以上が望ましい。１／１０より細いと空気ポンプの吸気又は排気に支障が生じるからである。
【００４４】
ポンプ側抵抗素子１９は、ポンプ側流路１４の一部の流体抵抗をポンプ側流路１４よりも高くするものである。すなわち、ポンプ側流路１４の一部に流体抵抗を発生させるものである。流体抵抗を発生させるものとしては、前述のカフ側抵抗素子１８で例示したものを用いることができる。流体抵抗の高い部分が高周波数の圧力変動を吸収する低域透過フィルタとなり、圧脈波を検出する流路から圧脈波による圧力変動が逃げないようにすることができる。また、空気ポンプ１３で生じた高周波数の圧力変動が図１の斜線で示された流路へ伝達することを防ぐことができる。これにより、圧力計１５が空気ポンプ１３で生じた高周波数の圧力変動を検出しないので、圧脈波検出器１６は、圧力計１５の検出した第１のカフ１１ａの圧力の高周波数成分から第１のカフ１１ａで生じた圧脈波を効率よく検出することができる。
【００４５】
ポンプ側抵抗素子１９は、ポンプ側流路１４の内径よりも小さな内径の細管であることが好ましい。細管は、例えば、前述のカフ側抵抗素子１８で説明した細管と同様のものを用いることができる。ポンプ側抵抗素子１９を細管とすることで、簡単な構成で流体抵抗の高い抵抗素子とすることができる。さらに、細管の内径は、ポンプ側流路１４の内径の１／２以下であることが好ましい。細管の内径がポンプ側流路１４の内径の１／２以下であれば、細管の流体抵抗とポンプ側流路１４の流体抵抗との間に有意な差をつけることができる。これにより、圧脈波検出器１６は圧脈波を効率よく検出することができる。なお、細管はポンプ側流路１４の内径の１／１０以上が望ましい。１／１０より細いと空気ポンプの吸気又は排気に支障が生じるからである。
【００４６】
アーム２１ａ及びアーム２１ｂは、被検体の一部を挟持するものである。被検体の一部は、限定するものではなく、例えば、耳珠、対珠、耳輪等の外耳の一部である。アーム２１ａ及びアーム２１ｂの形状は、挟持する被検体の一部の形状に応じたものとすることが好ましく、アーム２１ａ及びアーム２１ｂの形状が異なっていてもよい。アーム２１ａ及びアーム２１ｂは、図１に示すように、内部に流路が形成されているものであってもよい。流路が形成されていないものでもよい。また、圧力計１５、圧脈波検出器１６又はカフ圧検出器１７の少なくともいずれかの筺体であってもよい。
【００４７】
アーム接続部２２は、アーム２１ａ及びアーム２１ｂを接続するものである。アーム２１ａ及びアーム２１ｂの距離を可変する機能を有していてもよいし、アーム２１ａ及びアーム２１ｂの角度を可変する機能を有していてもよい。
【００４８】
カフ位置調節機構２３は、第１のカフ１１ａとアーム２１ａとの距離を可変するものである。例えば、第１のカフ１１ａと固定されており、アーム２１ａに形成されているネジ穴と勘合するネジである。
【００４９】
流路２５は、圧力計１５と図１の斜線で示されている流路とを接続するものである。例えば、圧力計１５とポンプ側流路１４内とを接続する空気チューブである。空気チューブとしては、前述のカフ側流路１２で説明したものと同様のものを用いることができる。また、アーム２１ａに形成されたものでもよい。
【００５０】
血圧計９１の血圧値の測定例について図１及び図２を参照しながら説明する。図２は、血圧値の測定例を示すグラフであり、（ａ）は圧力の時間推移、（ｂ）は脈波信号振幅の時間推移を示す。図２（ａ）では、心臓の鼓動による被検体の一部の周期的な動脈内圧５１と、カフ内圧検出器１７の検出する押圧圧力値５２とを示す。図２（ｂ）に示す脈動波形５３は、圧脈波検出器１６の検出した圧脈波の信号波形である。
【００５１】
所定の時間になったとき、空気ポンプ１３は、吸気を開始し、第１のカフ１１ａ及び第２のカフ１１ｂの圧力を増加させる。このとき、空気ポンプ１３の吸気した空気は、ポンプ側抵抗素子１９が一部に備わるポンプ側流路１４を通過し、カフ側流路１２へ供給される。さらに、カフ側流路１２へ供給された空気は、カフ側流路１２を介して第１のカフ１１ａ及び第２のカフ１１ｂへ供給される。第２のカフ１１ｂへ供給される際、カフ側流路１２を通過する空気はカフ側抵抗素子１８を介して第２のカフ１１ｂへ供給される。空気ポンプ１３は、圧力Ｐ０まで第１のカフ１１ａ及び第２のカフ１１ｂの圧力を増加させ、第１のカフ１１ａ及び第２のカフ１１ｂが被検体の一部を挟持して押圧する押圧圧力値５２を増加させる。圧力Ｐ０は動脈の血流が停止する程の圧力であり、このときの時間をＴ０とする。時間Ｔ０では、脈動波形５３はほぼ検出されない。
【００５２】
空気ポンプ１３は、時間Ｔ０から排気を開始し、押圧圧力値５２を徐々に減少させていく。押圧圧力値５２が動脈内圧５１の最高値と等しくなった時間Ｔ１から被検体の一部に血液が流れ始め、脈動波形５３が出現する。この時間Ｔ１での押圧圧力値５２が収縮期血圧値Ｐ１となる。時間Ｔ１から脈動波形５３の振幅は徐々に高くなり、時間Ｔ２で最大となる。この時間Ｔ２での押圧圧力値５２が、動脈内圧５１の拡張期血圧値Ｐ２となる。このようにして、収縮期血圧値Ｐ１、拡張期血圧値Ｐ２を決定し、血圧値を測定することができる。なお、血圧値の測定方法は上記に限定されるものではない。
【００５３】
図１に示す血圧計９１において、圧力計１５は、図１に示した斜線部分の流路のうち、いずれの流路に接続されていてもよい。例えば、図１に示すように、圧力計１５が、カフ側流路１２及びポンプ側抵抗素子１９で挟まれたポンプ側流路１４に接続されていることが好ましい。圧力計１５が空気ポンプ１３に近い流路に接続されていれば、圧力計１５、圧脈波検出器１６及びカフ圧検出器１７を空気ポンプ１３と共通の筺体に収納できる。外耳に装着する構成を簡単にできるので、外耳への装着の負担を軽減することができる。さらに、ポンプ側抵抗素子１９が空気ポンプ１３に近い位置のポンプ側流路１４に配置されていれば、空気ポンプ１３の振動から生じる高周波数の圧力変動を効率よく吸収することができる。
【００５４】
図３は、実施形態２に係る血圧計の模式図である。実施形態２に係る血圧計９２は、図１で説明した圧力計１５及びポンプ側抵抗素子１９の配置が、血圧計９１と異なっている。圧力計１５は、カフ側抵抗素子１８及び第１のカフ１１ａで挟まれたカフ側流路１２に流路２５で接続されており、ポンプ側抵抗素子１９はカフ側流路１２に近い位置に配置されている。
【００５５】
圧力計１５は、カフ側流路１２の図３に示した斜線部分の流路のうち、いずれの位置に接続されていてもよい。例えば、アーム２１ａ内に形成されている流路に接続されていてもよい。さらに、図３の斜線部分には第１のカフ１１ａ内が含まれていないが、圧力計１５は第１のカフ１１ａに接続されていてもよい。
【００５６】
血圧計９２の配置であれば、ポンプ側抵抗素子１９がカフ側流路１２に近くなるので、カフ側抵抗素子１８、ポンプ側抵抗素子１９及び第１のカフ１１ａで挟まれている斜線で示された流路の体積を小さくすることができる。これにより、斜線で示されている圧脈波を検出する流路の体積に対し、被検体の脈動で生じる第１のカフ１１ａの体積変化の割合を大きくすることができるので、（１）式の効果から圧脈波を効率的に検出することが可能になる。
【００５７】
さらに、上記に説明した血圧計９１、９２は、カフ側抵抗素子１８及びポンプ側抵抗素子１９が１個ずつ配置されている例について説明したが、カフ側抵抗素子１８が２個以上であってもよいし、ポンプ側抵抗素子１９が２個以上であってもよい。カフ側抵抗素子１８及びポンプ側抵抗素子１９を複数個備えれば、高周波数の圧力変動をさらに吸収できるので、圧脈波検出器１６が検出する圧脈波の効率をさらに向上することができる。
【００５８】
以上説明したように、本実施形態に係る血圧計９１、９２は、第１のカフ１１ａ及び第２のカフ１１ｂが耳珠等の外耳の一部を挟持して圧迫し、カフ側抵抗素子１８、ポンプ側抵抗素子１９及び第１のカフ１１ａで挟まれている斜線で示された流路から圧脈波を検出するので、第１のカフ１１ａで生じた圧脈波による空気圧の変動が空気ポンプ１３及び第２のカフ１１ｂに逃げることなく、圧力計１５で圧脈波を効率的に検出することができる。また、ポンプ側流路１４及びカフ側流路１２に流体抵抗の高い素子を備え、空気ポンプ１３及び第２のカフ１１ｂからの高周波数の圧力変動の伝達を遮断するので、外耳の微弱な圧脈波を圧力計１５の検出する第１のカフ１１ａの圧力から検出することができる。したがって、小型のカフから脈波を効率的に検出することを可能にする血圧計を提供することができる。
【産業上の利用可能性】
【００５９】
本発明は、複数の振動源から特定の振動のみを検出することができるので、振動監視装置として応用することができる。
【図面の簡単な説明】
【００６０】
【図１】実施形態１に係る血圧計の模式図である。
【図２】血圧値の測定例を示すグラフであり、（ａ）は圧力の時間推移、（ｂ）は脈動波形振幅の時間推移を示す。
【図３】実施形態２に係る血圧計の模式図である。
【符号の説明】
【００６１】
１１ａ  第１のカフ
１１ｂ  第２のカフ
１２  カフ側流路
１３  空気ポンプ
１４  ポンプ側流路
１５  圧力計
１６  圧脈波検出器
１７  カフ圧検出器
１８  カフ側抵抗素子
１９  ポンプ側抵抗素子
２０  小袋
２１  アーム
２２  アーム接続部
２３  カフ位置調節機構
２５  流路
３１  ポンプ側流路と接続されているカフ側流路の途中
３２  カフの押圧面
５１  動脈内圧
５２  押圧圧力値
５３  脈動波形
９１、９２  血圧計
【図１】
2006325878.tif 000003
【図２】
2006325878.tif 000004
【図３】
2006325878.tif 000005